(57)【要約】【課題】ブラウザで電子メールアドレスをクリックした時にブラウザがウェブメールのページを自動的に開き、ユーザーに利便性を与えることが可能なブラウザを提供する。【解決手段】ホームページサーバよりデータを取得するデータ取得手段と、取得したデータを画面に表示する表示手段と、キーボードからの入力を受信するキー受信手段と、キーや画面のイベントを制御するイベント制御手段と、イベント制御手段からＵＲＬ及びウェブメーラ情報手段からウェブメーラ情報を受け取り解析するＵＲＬ解析手段と、ＵＲＬの解析結果によりデータを送信するデータ送信手段を備える。【選択図】図３
2005044216.tif 000002
【特許請求の範囲】
【請求項１】
ホームページサーバよりデータを取得するデータ取得手段と、取得したデータを画面に表示する表示手段と、キーボードからの入力を受信するキー受信手段と、キーや画面のイベントを制御するイベント制御手段と、利用者がウェブメーラに関する情報を入力するウェブメーラ情報手段と、前記イベント制御手段からＵＲＬ及び前記ウェブメーラ情報手段からウェブメーラ情報を受け取り解析するＵＲＬ解析手段と、ＵＲＬの解析結果によりデータを送信するデータ送信手段を備え、前記ＵＲＬ解析手段がウェブメーラ情報を元にしてウェブメーラのＵＲＬに変換することを特徴とするブラウザ。
【請求項２】
ウェブメーラの情報をインターネットのサーバからダウンロードすることにより、利用者の入力の手間を省くことを特徴とする請求項１記載のブラウザ。
【請求項３】
ウェブメーラ情報手段よりウェブメーラサーバのＵＲＬを取得し、一定時間毎にウェブメーラサーバにあるメールを確認し、結果を画面に表示するメール確認手段を更に備え、ウェブメーラサーバのメールを随時確認できることを特徴とする請求項１または請求項２記載のブラウザ。
【発明の詳細な説明】
【技術分野】
【０００１】
本発明はインターネットのホームページ閲覧時におけるウェブメールの連携を提供するためのブラウザに関するものである。
【背景技術】
【０００２】
最近のインターネットの普及は急速で、コンピュータや携帯電話等の端末を接続することにより、ビジネスユース、パーソナルユースでウェブサイトから各種サービスや情報を入手できるようになってきている。また、インターネットを介しての電子メールが通信手段の主役の１つになりつつある。こうした中、ウェブサイトを通じて電子メールを送受信するウェブメールのサービスを行うウェブサイトが増えてきている（例えば、特許文献１参照）。
【０００３】
図１に従来のブラウザをとりまく概要図を示す。通常の電子メールの送受信にはメーラと呼ばれる電子メール専用のアプリケーションを使用するが、ウェブメールの場合ブラウザだけで電子メールの送受信ができる。
【特許文献１】特開２００１−３１８８６５号公報
【発明の開示】
【発明が解決しようとする課題】
【０００４】
しかし、従来メーラでは可能であったブラウザと電子メールの連携が、ウェブメールではできなかった。その連携とは、インターネットのウェブページに記述されている電子メールアドレスをユーザーがクリックした場合、自動的にメーラが起動する。
【０００５】
さらに新規メールの作成画面が現われて電子メールアドレスが入力されている場合もある。ウェブメールにおいてはこのような連携がなされないために、ユーザーは電子メール送信のために自分でウェブメールのページを開き、さらに新規メールの作成画面を表示して、元のページの電子メールアドレスを入力する必要があった。
【０００６】
本発明は従来の課題を解決するために、ブラウザで電子メールアドレスをクリックした時にブラウザがウェブメールのページを自動的に開き、ユーザーに利便性を与えるのが目的である。
【課題を解決するための手段】
【０００７】
上記問題を解決するために本発明のブラウザは、ホームページサーバよりデータを取得するデータ取得手段と、取得したデータを画面に表示する表示手段と、キーボードからの入力を受信するキー受信手段と、キーや画面のイベントを制御するイベント制御手段と、イベント制御手段からＵＲＬ及びウェブメーラ情報手段からウェブメーラ情報を受け取り解析するＵＲＬ解析手段と、ＵＲＬの解析結果によりデータを送信するデータ送信手段を備えたものである。
【発明の効果】
【０００８】
本発明によれば、ウェブメーラ情報部を設けることによりＵＲＬがｍａｉｌｔｏスキーマの場合にウェブメールを自動的に使用することが可能となる。
【０００９】
また、ＵＲＬをウェブメーラのＵＲＬに変換することにより、ウェブメーラのページを表示して電子メールをウェブメーラから送信できるという作用を有する。
【００１０】
更に、ウェブメーラに関する情報をインターネットから取得することにより、利用者に入力の手間を省かせるという作用を有する。
【発明を実施するための最良の形態】
【００１１】
（実施の形態１）
図２に本発明のブラウザをとりまく概要図を示す。また、図３に、本発明の実施の形態１におけるブラウザのブロック構成図を示す。
【００１２】
ブラウザは、インターネットからデータを取得するデータ取得部２１と、取得したデータを表示する表示部２２と、キーボードやマウスからの入力を受信する入力受信部２３と、入力受信部で発生したイベントを制御するイベント制御部２４と、イベント制御部２４で指定されたＵＲＬを解析するＵＲＬ解析部２５と、利用者が入力したウェブメーラの情報を保持しておくウェブメーラ情報部２６と、ＵＲＬの解析結果にしたがってインターネットに対してデータを送信するデータ送信部２７から構成される。
【００１３】
以下、図３、図４を用いてその動作を説明する。
【００１４】
データ取得部２１はインターネットを経由してホームページサーバ１から主にＨＴＭＬで記述されたデータファイルを取得する。表示部２２では取得したデータファイルのＨＴＭＬを解析してレイアウトから画面イメージを作成して画面６へ表示を行う。入力受信部２３ではキーボードやマウス７からから入力された情報を受信して必要であればイベント受信制御部２４へ送る。
【００１５】
イベント制御部２４では表示部２２でのレイアウトの情報と合わせて入力受信部２３でのイベントを受け取り、もしＵＲＬのマウスクリックなどであればＵＲＬをＵＲＬ解析部２５に送る。
【００１６】
ＵＲＬ解析部２５ではＵＲＬの解析を行う。まずＵＲＬスキーマを解析して（Ｓｔｅｐ１）、判定する（Ｓｐｅｐ２）。もしｍａｉｌｔｏ以外であれば通常のＵＲＬ解析（Ｓｔｅｐ５）を行う。例えば、＜ａ  ｈｒｅｆ＝”ｈｔｔｐ：／／ｈｐ．ｓａｍｐｌｅ．ｃｏｎ／”＞のようなアンカータグをクリックした場合が該当する。
【００１７】
一方、もしｍａｉｌｔｏであればウェブメーラ情報（Ｓｔｅｐ３）の読み取りを行いウェブメーラのメール送信用ＵＲＬを作成する（Ｓｔｅｐ４）。例えばウェブメール情報部に、ｈｔｔｐ：／／ｗｅｂｍａｉｌ．ｃｏｎ／ｎｅｗ．ｃｇｉ？ｔｏ＝％ｓのようなウェブメール送信用ＵＲＬ（％ｓを送信先メールアドレスと置き換える）があり、＜ａ  ｈｒｅｆ＝”ｍａｉｌｔｏ：ｓｍａｐｌｅ＠ｍａｉｌ．ｃｏｎ”＞のようなアンカータグをクリックした場合、ウェブメーラのメール送信用ＵＲＬはｈｔｔｐ：／／ｗｅｂｍａｉｌ．ｃｏｎ／ｎｅｗ．ｃｇｉ？ｔｏ＝ｓｍａｐｌｅ＠ｍａｉｌ．ｃｏｎとなる。
【００１８】
そのＵＲＬで通常のＵＲＬ解析を行い（Ｓｔｅｐ５）、データ送信部２７を経てウェブメールサーバ５へ接続し、ウェブメール送信用のページが表示される。
【００１９】
ウェブメーラ情報部２７はウェブメールに関する様々な情報を保持することが可能であるが、少なくともウェブメーラサイトのウェブメール送信用ＵＲＬを保持する。その他にウェブメーラのＩＤ、パスワード、発信メールアドレスなどを保持してもよい。これらを複数保持した場合は、ウェブメーラのＵＲＬ作成時（Ｓｔｅｐ４）にユーザーに選択させることも可能である。
【００２０】
（実施の形態２）
図５は本発明の実施の形態２におけるブラウザのブロック構成図を示すものである。図５は、図３の構成にメール確認部２８を備えたものであり、図３と同番号を付したものは図３の構成と同様の機能を有するため説明を省略する。
【００２１】
メール確認部２８は、ウェブメーラ情報部よりウェブメーラサーバのメール確認用ＵＲＬを取得して、例えば５分毎にウェブメーラサーバにあるメールを確認する。もし、新着のメールがあった場合、画面にて新着メールがあることをユーザーに知らせる。画面以外にも音で知らせたり、ＬＥＤ等の発光素子で知らせたりすることが可能である。メール確認のタイミングもユーザーが自由に設定することや、ユーザーが自由なタイミングで確認することが可能である。
【００２２】
本実施の形態２では、図４においてウェブメーラ情報部２７にはウェブメーラ情報ＵＲＬを保持する。そしてウェブメーラ情報ＵＲＬにアクセスすると、ウェブメール送信用ＵＲＬや他に発信メールアドレスなどの情報を取得できるのでそれを元にウェブメーラのメール送信用ＵＲＬを作成する（Ｓｔｅｐ４）。
【産業上の利用可能性】
【００２３】
本発明のブラウザは、ＵＲＬをウェブメーラのＵＲＬに変換することにより、ウェブメーラのページを表示して電子メールをウェブメーラから送信でき、またウェブメーラに関する情報をインターネットから取得することにより、利用者に入力の手間を省かせることが可能であるため、インターネット接続機器全てに有効である。
【図面の簡単な説明】
【００２４】
【図１】従来のブラウザをとりまく概要図
【図２】本発明におけるブラウザをとりまく概要図
【図３】本発明の実施の形態１におけるブラウザのブロック構成図
【図４】本発明の実施の形態１におけるＵＲＬ解析部の動作説明図
【図５】本発明の実施の形態２におけるブラウザのブロック構成図
【符号の説明】
【００２５】
１    ホームページサーバ
２    ブラウザ
３    メーラ
４    メールサーバ
５    ウェブメーラサーバ
６    画面
７    キーボード、マウス
２１    データ取得部
２２    表示部
２３    入力受信部
２４    イベント制御部
２５    ＵＲＬ解析部
２６    ウェブメーラ情報部
２７    データ送信部
２８    メール確認部
【図１】
2005044216.tif 000003
【図２】
2005044216.tif 000004
【図３】
2005044216.tif 000005
【図４】
2005044216.tif 000006
【図５】
2005044216.tif 000007